(57)【要約】【課題】受信装置の受信エラーを生じさせにくい照明光通信装置を提供する。【解決手段】照明光通信装置は、電源回路５２ａと、２値の通信信号を生成する信号発生回路６と、発光ダイオードを含む負荷回路５３と、前記通信信号に応じて前記負荷回路５３に流れる電流を断続する第１スイッチ素子２ａと、前記第１スイッチ素子２ａがオフであるときに前記電源回路５２ａの電流を流す経路を有するバイパス回路１００とを備える。【選択図】図１
2017142981.tif 000002
【特許請求の範囲】
【請求項１】
電源回路と、
２値の通信信号を生成する信号発生回路と、
発光ダイオードを含む負荷回路と、
前記通信信号に応じて前記負荷回路に流れる電流を断続する第１スイッチ素子と、
前記第１スイッチ素子がオフであるときに前記電源回路の電流を流す経路を有するバイパス回路とを備える
照明光通信装置。
【請求項２】
前記バイパス回路は、
前記経路上に、インダクタ素子および抵抗素子の何れか１つと、
前記経路上に、前記通信信号の反転信号に応じて前記第１スイッチ素子と排他的にオン状態になる第２スイッチ素子とを備える
請求項１に記載の照明光通信装置。
【請求項３】
前記バイパス回路は、前記電源回路の電源電圧に基づいて前記信号発生回路に電力を供給する
請求項２に記載の照明光通信装置。
【請求項４】
前記バイパス回路は、前記経路上に設けられたインダクタ素子と、前記インダクタ素子に直列に接続された第２スイッチ素子とを有し、
前記インダクタ素子および前記第２スイッチ素子は、前記電源回路の電源電圧に基づいて前記信号発生回路に電力を供給する補助的なコンバータを構成する
請求項３に記載の照明光通信装置。
【請求項５】
前記コンバータは、前記電源回路の電源電圧を昇圧し、昇圧した電圧を前記信号発生回路に供給する
請求項４に記載の照明光通信装置。
【請求項６】
前記コンバータは、前記電源回路の電源電圧を降圧し、降圧した電圧を前記信号発生回路に供給する
請求項４に記載の照明光通信装置。
【請求項７】
前記第２スイッチ素子は、さらに、前記第１スイッチ素子がオフである期間内に、オンおよびオフを複数回繰り返す
請求項４、５または６に記載の照明光通信装置。
【請求項８】
前記電源回路は、
前記第１スイッチ素子と直列に接続され、前記負荷回路に流れる電流の大きさを検出するための検出抵抗と、
前記抵抗素子により検出された電流の大きさと基準値との差分とをフィードバックすることにより、出力電流の平均を一定化する定電流フィードバック回路とを備え、
請求項４〜７の何れか１項に記載の照明光通信装置。
【請求項９】
前記第２スイッチ素子は、前記検出抵抗と直列に接続される
請求項７に記載の照明光通信装置。
【請求項１０】
前記第２スイッチ素子２ｂは、前記検出抵抗を介することなく前記電源回路に接続される
請求項７に記載の照明光通信装置。
【請求項１１】
照明装置が発する照明光に２値の通信信号を重畳する変調を行い、前記照明装置に着脱可能な通信モジュールであって、
前記通信信号を生成する信号発生回路と、
前記通信信号に応じて前記照明光を発する光源に流れる電流を断続する第１スイッチ素子と、
前記第１スイッチ素子がオフであるときに、電源回路の電流を流す経路を有するバイパス回路とを備える
通信モジュール。
【発明の詳細な説明】
【技術分野】
【０００１】
本発明は、照明光を変調することにより可視光通信を行う照明光通信装置および通信モジュールに関する。
【背景技術】
【０００２】
従来、発光ダイオード（ＬＥＤ、Light Emitted Diode）を光源として備える照明器具において、照明光の強度を変調することによって信号を送信する可視光通信が提案されている。このような照明光通信装置では照明光そのものを変調することで信号を送信するため、赤外線通信装置のような特別の機器を必要としない。また照明用光源として発光ダイオードを用いることで省電力が実現できるので、地下街などでのユビキタス情報システムへの利用が検討されている。
【０００３】
図１６Ａは、特許文献１に開示された照明光通信装置の構成を示す図である。この回路では、直流電源５１の両端間に、電流検出抵抗Ｒ３と、３個の発光ダイオードを含む負荷回路５３と、インダクタＬ１と、スイッチ素子Ｑ１が直列に接続され、スイッチＱ１は制御回路５４によってオン／オフが制御される。また負荷回路５３とインダクタＬ１との直列回路の両端間に、平滑用のコンデンサＣ３と整流ダイオードＤ２が接続され、インダクタＬ１及びスイッチ素子Ｑ１と共にＤＣ−ＤＣコンバータを構成している。ＤＣは、ＤｉｒｅｃｔＣｕｒｒｅｎｔの略で直流を意味する。制御回路５４には、定電流フィードバック回路５５からフィードバック信号が入力されており、ＤＣ−ＤＣコンバータの出力電流を略一定に制御する。ＤＣ−ＤＣコンバータは、定電流を供給するように制御される定電流フィードバック型の電源になっている。また、制御回路５４には通信信号Ｓ１が入力されており、通信信号がハイの期間にスイッチ素子Ｑ１を高周波でオン／オフさせることによって、負荷電流Ｉ１を変調している。
【０００４】
図１６Ｂは、図１６Ａの定電流フィードバック回路５５の具体例を含む回路部分を示す図である。定電流フィードバック回路５５は、負荷電流Ｉ１が流れる抵抗Ｒ３の電圧降下と、基準源Ｅ１との高低を誤差増幅器Ａ１で比較し、その差分を増幅して制御回路５４に出力する。また、誤差増幅器Ａ１の反転入力端子と出力端子の間に接続された抵抗Ｒ４及びコンデンサＣ２の直列回路は、当該フィードバック系の安定度を確保するための位相補償回路を構成する。このような位相補償回路には、一巡伝達関数における利得と位相を調整するために積分要素を含む補償回路が一般的に用いられ、古典情報理論のＰＩ制御或いはＰＩＤ制御として知られている。例えば、図１６Ｃは、特許文献２に開示された平均電流検出回路を含む照明光通信装置を示す図である。電流検出抵抗Ｒ３の両端間に接続された積分回路５６（抵抗Ｒ５及びコンデンサＣ３からなる）は、出力平均化手段として上述したＰＩ制御を用いたものといえる。
【０００５】
また、特許文献３は、照明光を用いた可視光通信において、通信用のキャリア信号を授受しない非通信時と、キャリア信号を授受する通信時との何れにおいても照明の明るさを一定にするとともに、低コストで、光源の利用効率および電力効率の高い照明光通信用電源を開示している。
【０００６】
さらに、特許文献４の照明光通信装置は、昇圧モードと降圧モードとを有するＤＣ−ＤＣコンバータ、定電流クランプスイッチおよび定電流クランプ制御回路を備え、定電流クランプスイッチのオン・デューティが予め記憶されている最大値（または最小値）になったときに、電流の制限を開始し、最大値より小さく（または最小値より大きく）なったときに制限を停止することを開示している。
【先行技術文献】
【特許文献】
【０００７】
【特許文献１】特開２０１２−６９５０５号公報
【特許文献２】特開２００６−１２０９１０号公報
【特許文献３】特開２０１０−２８３６１６号公報
【特許文献４】特開２０１１−１３０５５７号公報
【発明の概要】
【発明が解決しようとする課題】
【０００８】
図１７は、定電流フィードバック型の電源を用いた１００％変調の回路構成における、断続信号、変調時の出力電圧、及び負荷電流（ＬＥＤ電流）の波形を模式的に示す図である。ここで、１００％変調は、点灯状態、消灯状態の２状態で照明光を変調することをいう。断続信号は、スイッチのオンおよびオフを制御する変調信号である。出力電圧は、定電流フィードバック型の電源の出力電圧である。ＬＥＤ電流は、ＬＥＤを流れる電流である。
【０００９】
同図において、断続信号（変調信号）がローの期間では、スイッチはオフとなり、ＬＥＤが消灯する。このオフの期間が長いほど平滑コンデンサ両端の出力電圧は大きく上昇する。断続信号（変調信号）がハイとなった瞬間、ＬＥＤ電流には大きなオーバーシュートが発生する。すなわち、断続信号（変調信号）がハイとなった瞬間、出力電圧が高くなっているのでＬＥＤ電流のピーク値が高くなり、出力電圧の低下とともにＬＥＤ電流も低下する。
【００１０】
このように、スイッチの断続に伴って、ＬＥＤ電流のオーバーシュートが大きくなるという問題がある。一般的に光通信の受信装置は、光信号の変化を読取るものであり、オーバーシュートが大きい場合、誤動作（例えば受信エラー）の主要因となる。このように、定電流型電源を用いて１００％変調を行う場合は受信装置に誤動作させ得るという問題がある。
【００１１】
本発明は、定電流フィードバック型の電源を用いて１００％変調の光通信をする場合でも、受信装置の受信エラーを生じさせにくい照明光通信装置および通信モジュールを提供することを目的とする。
【課題を解決するための手段】
【００１２】
上記目的を達成するために、本発明に係る照明光通信装置の一形態は、電源回路と、２値の通信信号を生成する信号発生回路と、発光ダイオードを含む負荷回路と、前記通信信号に応じて前記負荷回路に流れる電流を断続する第１スイッチ素子と、前記第１スイッチ素子がオフであるときに前記電源回路の電流を流す経路を有するバイパス回路とを備える。
【００１３】
また、本発明に係る通信モジュールの一形態は、照明装置が発する照明光に２値の通信信号を重畳する変調を行い、前記照明装置に着脱可能な通信モジュールであって、前記通信信号を生成する信号発生回路と、前記通信信号に応じて前記照明光を発する光源に流れる電流を断続する第１スイッチ素子と、前記第１スイッチ素子がオフであるときに、電源回路の電流を流す経路を有するバイパス回路とを備える。
【発明の効果】
【００１４】
本発明に係る照明光通信装置および通信モジュールによれば、定電流フィードバック型の電源を用いて１００％変調の光通信をする場合でも、受信装置の受信エラーを生じさせにくいという効果がある。
【図面の簡単な説明】
【００１５】
【図１】図１は、実施の形態１における照明光通信装置の構成例を示す回路図である。
【図２】図２は、図１における通信モジュールのより具体的な構成例を示す回路図である。
【図３Ａ】図３Ａは、図１または図２における通信モジュールのシミュレーション結果であり、通信信号に対する各部の電圧電流波形を示す図である。
【図３Ｂ】図３Ｂは、図１における通信モジュールのシミュレーション結果であり、オン・デューティに対する制御電圧の関係を示す図である。
【図４Ａ】図４Ａは、通信信号の変調方式の一例を示す説明図である。
【図４Ｂ】図４Ｂは、通信信号の事例（１）〜（４）を示す図である。
【図５】図５は、実施の形態２における照明光通信装置の構成例を示す回路図である。
【図６】図６は、図５における通信モジュールのより具体的な構成例を示す回路図である。
【図７】図７は、図６における通信モジュールのシミュレーション結果を示し、通信信号に対する各部の電圧電流波形を示す図である。
【図８】図８は、実施の形態３における通信モジュールの構成例を示す回路図である。
【図９】図９は、図８における通信モジュールの通信信号に対する各部の波形を模式的に表した図である。
【図１０】図１０は、図８の通信モジュールのシミュレーション結果であり、オン・デューティに対する制御電圧の関係を示す図である。
【図１１】図１１は、実施の形態４における照明光通信装置の構成例を示す回路図である。
【図１２】図１２は、図１１における通信モジュールの通信信号に対する各部の波形を模式的に表した図である。
【図１３】図１３は、実施の形態５における通信モジュールを含む照明光通信装置の構成例を示す回路図である。
【図１４Ａ】図１４Ａは、図１１および図１３の通信モジュールのシミュレーション結果であり、バイアス電流閾値に対するＬＥＤ電流変動幅の関係を示す図である。
【図１４Ｂ】図１４Ｂは、図１１および図１３の通信モジュールのシミュレーション結果であり、バイアス電流閾値に対するＬＥＤ平均電流の関係を示す図である。
【図１５】図１５は、実施の形態１における照明光通信装置の変形例を示す回路図である。
【図１６Ａ】図１６Ａは、特許文献１に開示された照明光通信装置の構成を示す図である。
【図１６Ｂ】図１６Ｂは、図１６Ａの定電流フィードバック回路の具体例を含む回路部分を示す図である。
【図１６Ｃ】図１６Ｃは、特許文献２に開示された平均電流検出回路を含む照明光通信装置を示す図である。
【図１７】図１７は、定電流フィードバック型の電源を用いた１００％変調の回路構成における、断続信号、変調時の出力電圧、及び負荷電流（ＬＥＤ電流）の波形を模式的に示す図である。
【発明を実施するための形態】
【００１６】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法、数値を表すものではない。
【００１７】
以下に本発明の実施の形態を図面に基づいて説明する。
【００１８】
（実施の形態１）
［１．１  照明光通信装置の構成例］
まず、実施の形態１における照明光通信装置の回路構成の例について説明する。
【００１９】
図１は、実施の形態１における照明光通信装置の構成例を示す回路図である。この照明光通信装置は、出力を定電流化する機能を有した電源回路５２ａと、平滑コンデンサ６５と、負荷回路５３と、通信モジュール１とを備える。
【００２０】
電源回路５２ａは、整流ブリッジ６２、コンデンサ６３、ＤＣ−ＤＣコンバータ６４、検出抵抗６６および定電流フィードバック回路６７を備える。定電流フィードバック回路６７は、入力抵抗６８、増幅器６９、コンデンサ７０、抵抗７１および基準電圧源７２を備える。
【００２１】
電源回路５２ａは、商用電源（例えば、交流１００Ｖ）を整流ブリッジ６２で全波整流し、コンデンサ６３で平滑した後、ＤＣ−ＤＣコンバータ６４で所望の直流電圧に変換する。ＤＣ−ＤＣコンバータ６４の出力両端間に平滑コンデンサ６５が接続されている。つまり、電源回路５２ａの電源線と接地線との間に平滑コンデンサ６５が接続されている。電源回路５２ａの電源線と接地線との間に負荷回路５３と第１スイッチ素子２ａとが直列に接続されている。
【００２２】
電源回路５２ａは、負荷回路５３を流れる電流を直接、或いは間接的に検出し、その電流値を一定にするよう制御する機能を有する。この機能は、図１においては、負荷回路５３の電流を直接検出するための検出抵抗６６および定電流フィードバック回路６７による。定電流フィードバック回路６７は、増幅器６９と、増幅器６９のプラス入力端子に接続された基準電圧源７２と、増幅器６９のマイナス入力端子に接続された入力抵抗６８と、増幅器６９の出力端子と増幅器６９のマイナス入力端子間に接続された利得調整用の抵抗７１、および位相補償用のコンデンサ７０備える。定電流フィードバック回路６７は、検出抵抗６６の電圧降下と基準電圧源７２の電圧との高低を増幅器６９で比較し、その差分を増幅し、ＤＣ−ＤＣコンバータ６４の制御部に帰還する。つまり、検出抵抗６６の電圧降下と前記基準電圧が一致するよう、ＤＣ−ＤＣコンバータ６４に負帰還制御をかけている。また、増幅器６９のマイナス入力端子と出力端子の間に接続された抵抗７１と入力抵抗６８との分圧比で利得が設定され、抵抗７１と並列に設けられたコンデンサ７０は位相補償のための積分要素として機能する。
【００２３】
平滑コンデンサ６５は、電源回路５２ａの電源線と接地線との間に接続され、電源回路５２ａの出力を平滑する。
【００２４】
負荷回路５３は、直列接続された複数の発光ダイオードを含む。複数の発光ダイオードは、照明光を発する光源である。この照明光は、２値の通信信号により変調される。
【００２５】
通信モジュール１は、光源である負荷回路５３に流れる電流を断続することによって光源が発する照明光を変調するという基本的な機能に加えて、負荷回路５３に電流が流れていないときに電源回路５２ａの電流を流す経路を有するバイパス回路１００としての機能も有する。さらに、バイパス回路１００は、電源回路５２ａの電源電圧に基づいて通信モジュール１内の回路（例えば信号発生回路６）に電力を供給する電源供給回路としても機能する。
【００２６】
そのため、通信モジュール１は、スイッチ２、インダクタ素子３、ダイオード４、コンデンサ５および信号発生回路６を備える。スイッチ２の半分つまり第２接点（図通信モジュール１中の右側接点）を含む部分と、インダクタ素子３、ダイオード４およびコンデンサ５はバイパス回路１００を構成する。
【００２７】
スイッチ２は、第１に、信号発生回路６が発生する通信信号に応じて負荷回路５３に流れる電流を断続することによって、光源が発する照明光を変調する。第２に、スイッチ２は、直列に接続された端子Ｔ３およびインダクタ素子３を含む経路（電源回路５２ａの電流を流す経路）に流れる電流を断続する。言い換えれば、スイッチ２は、電源回路５２ａの電流を、負荷回路５３に流すか、バイパス回路１００中の上記の経路に流すかを切替える。例えば、バイパス回路１００は、スイッチ素子２の第１接点（図１中の左側接点）がオープンまたはオフであるときに、第２接点（図１中の右側接点）がクローズまたはオンになり、電源回路５２ａの電流はバイパス回路を流れる。
【００２８】
スイッチ２、インダクタ素子３、ダイオード４およびコンデンサ５を含む回路部分、つまりバイパス回路１００は、さらに、電源回路５２ａの電源電圧に基づいて信号発生回路６に電力を供給する電源供給回路としても機能する。この電源供給回路は、いわゆる昇圧チョッパー回路としてのＤＣ−ＤＣコンバータである。
【００２９】
このように、バイパス回路１００は、負荷回路５３に電流が流れないときに、電源回路５２ａの電流を流すので、負荷回路５３に電流が流れない期間における電源回路５２ａの出力電圧の上昇（例えば図１７参照）を抑える。出力電圧の上昇を抑えるので、スイッチ２の左側接点がオフからオンに変化したときに発生する電流のオーバーシュートを低減することができる。これにより、定電流フィードバック型の電源を用いて１００％変調の光通信をする場合でも、受信装置の受信エラーを生じさせにくいという効果がある。
【００３０】
なお、通信モジュール１は、図１に示したように、端子Ｔ１〜Ｔ３に着脱可能である。つまり、図１等の照明光通信装置において通信モジュール１を備えないで、端子Ｔ１、Ｔ２間にショート線Ｓ１を追加し、端子Ｔ３を解放した場合は、可視光通信機能を有しない照明装置として機能する。通信モジュール１は、照明装置と少ない端子数（最小で３つ）で接続可能である。
【００３１】
［１．２  バイパス回路１００の構成例］
次に、バイパス回路１００の構成例について説明する。
【００３２】
図２は、図１における通信モジュールのより具体的な構成例を示す回路図である。
【００３３】
同図の通信モジュール１は、第１スイッチ素子２ａ、信号発生回路６、バッファ７、抵抗８およびバイパス回路１００を備える。バイパス回路１００は、第２スイッチ素子２ｂ
インダクタ素子３、ダイオード４、コンデンサ５、インバータ９および入力抵抗１０を備える。
【００３４】
第１スイッチ２ａおよび第２スイッチ素子２ｂは、図１のスイッチ２に相当する。第１スイッチ素子２ａは、図１のスイッチ２の左側接点に対応し、通信信号に応じて光源である負荷回路５３に流れる電流を断続する。これにより、光源が発する照明光に通信信号を重畳つまり変調する。第１スイッチ素子２ａは、例えば、ｎＭＯＳトランジスタをスイッチとしており、その制御端子（つまりゲート）には、信号発生回路６からバッファ７および入力抵抗７を介して通信信号が入力される。通信信号がハイレベルのとき第１スイッチ素子２ａはオン状態になり、通信信号がローレベルのとき第１スイッチ素子２ａはオフ状態になる。
【００３５】
バイパス回路１００中の第２スイッチ素子２ｂは、図１のスイッチ２の右側接点に対応し、通信信号の反転信号に応じてオンおよびオフする。第２スイッチ素子２ｂの制御端子（つまりゲート）には、信号発生回路６からインバータ９および入力抵抗１０を介して、通信信号の反転信号が入力される。よって、同図の第２スイッチ素子２ｂは、第１スイッチ素子２ａと排他的にオン状態になる。つまり、第１スイッチ２ａと第２スイッチ素子２ｂとは、同時にオフ状態になることがあってもよいが、同時にオン状態にはならない。また、バイパス回路１００は、第１スイッチ素子２ａがオフであるときに電源回路５２ａの電流を流す経路として、直列に接続された端子Ｔ３、インダクタ素子３および第２スイッチ素子２ｂを有している。
【００３６】
バイパス回路１００中の第２スイッチ素子２ｂ、インダクタ素子３、ダイオード４およびコンデンサ５を含む回路部分は、通信モジュール１の各回路に電源電圧を供給する電源供給回路である。この電源供給回路は、図１と同様に、いわゆる昇圧チョッパー回路としてのＤＣ−ＤＣコンバータである。すなわち、インダクタ素子３は、第２スイッチ素子２ｂがオンのとき、電源回路５２ａの電流を流し、同時に電磁エネルギーを蓄積する。さらに、インダクタ素子３は、第２スイッチ素子２ｂがオンからオフに変化した時に、蓄積した電磁エネルギーを、ダイオード４を介してコンデンサ５に放出する。電源供給回路は、図２では、信号発生回路６、バッファ７およびインバータ９に電源電圧を供給している。
【００３７】
このように、バイパス回路１００は、第１スイッチ素子２ａがオフのときに単に電流を流すだけでなく、電源回路５２ａの電源電圧を、信号発生回路６等へ供給する電源電圧に変換する補助的なコンバータ（つまりＤＣ−ＤＣコンバータ）として機能する。第２スイッチ素子２ｂは通信信号の反転信号によってスイッチング動作するので、スイッチング制御回路を追加しなくてもよく、回路の小型化に適している。
【００３８】
［１．３  動作］
以上のように構成された実施の形態１における照明光通信装置について、その動作を説明する。
【００３９】
図３Ａは、図１または図２における通信モジュール１のシミュレーション結果であり、通信信号に対する各部の電圧電流波形を示す図である。同図において（ａ）通信信号は、信号発生回路６により発生される通信信号を示す。（ｂ）ＬＥＤ電流は、複数の発光ダイオードを含む負荷回路５３を流れる電流、図１ではスイッチ２の左側接点を流れる電流を示す。（ｃ）通信信号（反転）は（ａ）を反転した信号を示す。（ｄ）ＳＷ２電流は、第２スイッチ素子２ｂを流れる電流を示す。（ｅ）インダクタ電流は、インダクタ素子３を流れる電流を示す。（ｆ）制御電源は、コンデンサ５両端の電圧、つまり電源供給回路が信号発生回路６に供給する電源電圧を示す。（ｇ）出力電圧は、電源回路５２ａの出力電圧つまり平滑コンデンサ６５両端の電圧を示す。
【００４０】
図３Ａに示すように、（ａ）通信信号の立ち上がり時に発生する（ｂ）ＬＥＤ電流のオーバーシュートは、無くなってはいないけれども小さくなっているといえる。なぜなら、図１７に示したように、ＬＥＤ電流のオーバーシュートは、通信信号の立ち上がり時の出力電圧が大きいほど（第１スイッチ素子２ａのオフ期間が長いほど）、大きくなる。図３Ａでは、（ｄ）ＳＷ２電流が、第１スイッチ素子２ａのオフ期間に流れるので、その分（ｇ）出力電圧の上昇がある程度抑えられて、オーバーシュートも小さくなっている。
【００４１】
また、第２スイッチ素子２ｂ、インダクタ素子３、ダイオード４およびコンデンサ５が昇圧チョッパー型のＤＣ−ＤＣコンバータとして動作するので、（ｆ）制御電圧は、（ｇ）出力電圧よりも高い電圧値で安定している（つまり変動が少なくなっている）。
【００４２】
さらに、制御電圧のシミュレーション結果について説明する。
【００４３】
図３Ｂは、図１における通信モジュール１のシミュレーション結果であり、オン・デューティに対する制御電圧の関係を示す図である。同図の横軸は、信号発生回路６が発生する通信信号のオン・デューティを示す。縦軸の制御電圧は、コンデンサ５両端の電圧、つまり電源供給回路（つまり上記のＤＣ−ＤＣコンバータ）が信号発生回路６に供給する電源電圧を示す。図３Ｂに示すように、オン・デューティが大きいほど、制御電圧は低くなっている。通信信号のオン・デューティが常に一定である場合は、特に問題は生じない。しかし、通信信号のオン・デューティが一定でない場合は、制御電圧が変動することになり、回路（例えば信号発生回路６等）の動作を不安定にする、あるいは、誤動作を生じさせる可能性がある。
【００４４】
次に、オン・デューティが一定でない通信信号の例について説明する。
【００４５】
図４Ａは、通信信号の変調方式の一例を示す説明図である。同図は、ＪＥＩＴＡ−ＣＰ１２２３で規定されている１−４ＰＰＭ伝送方式に準拠する。例えば、２ビットデータ「００」の４ＰＰＭ信号は、４スロットからなる１シンボル期間において「１０００」と変調される。つまり、４つのスロット中の１スロットにパルスが現れる。可視光通信では、４スロット中の３スロットを点灯させて点灯時間を確保するために、反転４ＰＰＭ信号が用いられることが多い。同図の通信信号は、反転４ＰＰＭ信号に変調された信号である。この場合、通信信号のハイレベルは、断続スイッチＳＷをオンにし光源である負荷回路５３を点灯させる。また、通信信号のローレベルは、断続スイッチＳＷをオフにし光源である負荷回路５３を消灯させる。例えば、１スロットが１０４．１６７ｕｓｅｃ（＝１／９．６ｋＨｚ）で、４スロット分（４１６ｕｓｅｃ）で１シンボル（ここでは１シンボルは２ビット）を形成している。１−４ＰＰＭ信号は論理値０、１の２値で構成され、４スロット中の１スロットに論理値１が立つデータ配列となる。信号発生回路ＳＧが発生する通信信号は、この論理値を反転した反転４ＰＰＭ信号である。反転４ＰＰＭ信号は、４スロットのどこに負のパルスが立つかでデータを変調するもので、１シンボルの４スロット分を見る限りオン・デューティ比は７５％である。しかし、シンボルの区切りを無視すれば信号配列のパターンは多岐にわたり、部分的なオン・デューティ比も多岐にわたることが分かる。図４Ｂはその一例を示す。
【００４６】
図４Ｂは、通信信号の事例（１）〜（４）を示す図である。同図の４シンボル分のデータのうち、通信信号のローレベルからハイレベルへの立ち上がりの直前のオフ期間およびオン期間に○印を付加してある。○印で囲った部分的なデータを見れば、部分的なオン・デューティ比は、例えば、直近のオフ期間と、当該オフ期間の直前のオン期間とを合わせた期間（直近の１周期）における当該オン期間の割合と定義できる。図４Ｂの事例（１）では直近の１周期の周波数は１．２ｋＨｚ、部分的なオン・デューティ比７５％になっている。事例（２）では４．８ｋＨｚ、５０％、事例（３）では３．２ｋＨｚ、６６．７％、事例（４）では２．４ｋＨｚ、７５％になっている。すなわち、通信信号のオン・デューティ比は、刻々と変化する。
【００４７】
図１の第２スイッチ素子２ｂ、インダクタ素子３、ダイオード４およびコンデンサ５を含む回路部分（つまり電源供給回路としてのＤＣ−ＤＣコンバータ）は、図４Ｂに示した部分的オン・デューティが変化する通信信号を用いる場合には、図３Ｂに示したように、制御電圧（つまり電源供給回路の出力電圧）が変動し得ることがわかる。一般に、制御電圧はオン・デューティが変化しても変動しない方がよい。
【００４８】
以上説明してきたように実施の形態１における照明光通信装置は、電源回路５２ａと、２値の通信信号を生成する信号発生回路６と、発光ダイオードを含む負荷回路５３と、前記通信信号に応じて前記負荷回路５３に流れる電流を断続する第１スイッチ素子２ａと、前記第１スイッチ素子２ａがオフであるときに前記電源回路５２ａの電流を流す経路を有するバイパス回路１００とを備える。
【００４９】
この構成によれば、第１スイッチ素子の断続により、発光ダイオードによる照明光を変調し、その際、第１スイッチ素子がオフであるときに、前記電源回路の電流を流すので、第１スイッチ素子がオフからオンに変化したときに発生する電流のオーバーシュートを低減することができる。これにより、定電流フィードバック型の電源を用いて１００％変調の光通信をする場合でも、受信装置の受信エラーを生じさせにくいという効果がある。
【００５０】
ここで、前記バイパス回路１００は、前記経路上に、インダクタ素子３および抵抗素子３ａの何れか１つと、前記経路上に、前記通信信号の反転信号に応じて前記第１スイッチと排他的にオン状態になる第２スイッチ素子２ｂとを備えてもよい。
【００５１】
この構成によれば、通信信号の反転信号を利用して、電源回路５２ａからの電流を負荷回路５３に流すか、または、バイパス回路１００に流すかを容易かつ確実に切替えることができる。
【００５２】
ここで、前記バイパス回路１００は、前記電源回路５２ｂの電源電圧に基づいて前記信号発生回路に電力を供給してもよい。
【００５３】
この構成によれば、バイパス回路１００は、単に電流を流すだけでなく、当該電流を利用して信号発生回路６に電力を供給することができる。
【００５４】
ここで、前記バイパス回路１００は、前記経路上に設けられたインダクタ素子３と、前記インダクタ素子に直列に接続された第２スイッチ素子２ｂとを有し、前記インダクタ素子および前記第２スイッチ素子は、前記電源回路５２ｂの電源電圧に基づいて前記信号発生回路６に電力を供給する補助的なコンバータを構成してもよい。
【００５５】
この構成によれば、バイパス回路は、単に電流を流すだけでなく、前記電源回路の電源電圧を、前記信号発生回路への電源電圧に変換する補助的なコンバータ（つまりＤＣ−ＤＣコンバータ）として機能する。また、第２スイッチ素子２ｂのスイッチングは、通信信号の反転信号によるので、スイッチング制御を簡単な回路構成で実現することができる。
【００５６】
ここで、前記コンバータは、前記電源回路５２ｂの電源電圧を昇圧し、昇圧した電圧を前記信号発生回路６に供給してもよい。
【００５７】
この構成によれば、コンバータは、いわゆる昇圧チョッパー回路として動作する。
【００５８】
また、実施の形態１における通信信モジュールの一形態は、照明装置が発する照明光に２値の通信信号を重畳する変調を行い、前記照明装置に着脱可能な通信モジュールであって、前記通信信号を生成する信号発生回路６と、前記通信信号に応じて前記照明光を発する光源に流れる電流を断続する第１スイッチ素子２ａと、前記第１スイッチ素子がオフであるときに、電源回路の電流を流す経路を有するバイパス回路１００とを備える。
【００５９】
（実施の形態２）
実施の形態１では昇圧チョッパー回路として動作する電源供給回路を含むバイパス回路１００について説明した。これに対して、実施の形態２では、降圧チョッパー回路として動作する電源供給回路を含むバイパス回路１００について説明する。
【００６０】
［２．１  照明光通信装置の構成］
図５は、実施の形態２における照明光通信装置の構成例を示す回路図である。同図は、図１と比べて、通信モジュール１の回路構成が異なっている。以下、異なる点を中心に説明する。
【００６１】
図５の通信モジュール１は、第１スイッチ素子２ａおよびバイパス回路１００を備える。バイパス回路１００は、第２スイッチ素子２ｂ、インダクタ素子３、ダイオード４、コンデンサ５、信号発生回路６およびインバータ９を備える。
【００６２】
第１スイッチ２ａは、信号発生回路６が発生する通信信号に応じて負荷回路５３に流れる電流を断続することによって、光源が発する照明光を変調する。第１スイッチ素子２ａは、第２スイッチ素子２ｂと排他的にオン状態になる。
【００６３】
第２スイッチ素子２ｂは、信号発生回路６が発生する通信信号の反転信号に応じて、直列に接続された端子Ｔ３およびインダクタ素子３を含む経路（電源回路５２ａの電流を流す経路）に流れる電流を断続する。第１スイッチ素子２ａおよび第２スイッチ素子２ｂは、電源回路５２ａの電流を、負荷回路５３に流すか、バイパス回路１００中の上記の経路に流すかを切替える。
【００６４】
バイパス回路１００内の第２スイッチ素子２ｂ、インダクタ素子３、ダイオード４およびコンデンサ５を含む回路部分は、電源回路５２ａの電源電圧に基づいて信号発生回路６に電力を供給する電源供給回路として構成されている。この電源供給回路は、いわゆる降圧チョッパー回路としてのＤＣ−ＤＣコンバータである。
【００６５】
［２．２  バイパス回路１００の構成例］
次に、バイパス回路１００の構成例について説明する。
【００６６】
図６は、図５における通信モジュールのより具体的な構成例を示す回路図である。
【００６７】
同図の通信モジュール１は、図２と比べて、バイパス回路１００の回路構成が異なっている。以下、異なる点を中心に説明する。
【００６８】
図６のバイパス回路１００は、第２スイッチ素子２ｂ、インダクタ素子３、ダイオード４、コンデンサ５、インバータ９およびドライバ１１を備える。
【００６９】
第２スイッチ素子２ｂは、通信信号の反転信号に応じてオンおよびオフする。第２スイッチ素子２ｂの制御端子（つまりゲート）には、信号発生回路６からインバータ９、ドライバ１１および入力抵抗１０を介して、通信信号の反転信号が入力される。よって、同図の第２スイッチ素子２ｂは、第１スイッチ素子２ａと排他的にオン状態になる。バイパス回路１００は、第１スイッチ素子がオフであるときに、電源回路の電流を流す経路として、直列に接続された端子Ｔ３、第２スイッチ素子２ｂ、インダクタ素子３およびコンデンサ５を有している。
【００７０】
第２スイッチ素子２ｂ、インダクタ素子３、ダイオード４およびコンデンサ５を含む回路部分は、通信モジュール１の各回路に電源電圧を供給する電源供給回路である。この電源供給回路は、図５と同様に、いわゆる降圧チョッパー回路としてのＤＣ−ＤＣコンバータである。電源供給回路は、図６では、信号発生回路６、バッファ７、インバータ９およびドライバ１１に電源電圧を供給している。
【００７１】
［２．３  動作］
以上のように構成された実施の形態２における照明光通信装置について、その動作を説明する。
【００７２】
図７は、図５または図６における通信モジュール１のシミュレーション結果であり、通信信号に対する各部の電圧電流波形を示す図である。同図は、図３Aと比べて、（ｆ）制御電源の電圧が、（ｇ）出力電圧よりも低い点が異なっている。以下異なる点を中心に説明する。
【００７３】
（ｆ）制御電源は、第２スイッチ素子２ｂ、インダクタ素子３、ダイオード４およびコンデンサ５を含む電源供給回路、つまり降圧チョッパー回路の出力電圧である。よって、（ｆ）制御電源は、電源回路５２ａの出力電圧よりも降圧されている。また、（ｆ）制御電圧は、（ｇ）出力電圧よりも低い電圧値で安定している（つまり変動が少なくなっている）。
【００７４】
以上説明してきたように、実施の形態２における照明光通信装置において、コンバータ（つまり電源供給回路）は、前記電源回路の電源電圧を降圧し、降圧した電圧を前記信号発生回路に供給する。 
【００７５】
この構成によれば、コンバータは、いわゆる降圧チョッパー回路として動作する。
【００７６】
（実施の形態３）
実施の形態１では図３Ｂに示したようにオン・デューティに依存して制御電圧が変化する。これに対して、実施の形態３では、オン・デューティに依存する制御電圧の変化を低減する通信モジュール１について説明する。
【００７７】
［３．１  照明光通信装置の構成］
本実施の形態における照明光通信装置は、通信モジュール１を除いて図１と同じである。以下異なる点を中心に説明する。
【００７８】
図８は、実施の形態３における通信モジュール１の構成例を示す回路図である。同図の通信モジュール１は、図２と比べて、バイパス回路１００に追加された回路がある点が異なる。以下、異なる点を中心に説明する。
【００７９】
追加された回路は、バッファ９ａ、抵抗１２、増幅器１３、基準源１４、コンデンサ１５、抵抗１６、ダイオード１７、フリップフロップ１８、コンデンサ２０、ダイオード２１および抵抗２２を含む。この追加された回路は、第２スイッチ素子２ｂがオンである期間を、第１スイッチ素子２ａがオフである期間よりも短い一定の期間にするように制御する。
【００８０】
追加された回路について、図９を用いて説明する。図９は、図８における通信モジュールの通信信号に対する各部の波形を模式的に表した図である。図９において（Ａ）通信信号（反転）は、インバータ９の出力信号を示す。インバータ９の出力信号は、コンデンサ２０、ダイオード２１および抵抗２２を含む微分回路によって微分される。
【００８１】
（Ｂ）ＳＥＴ信号は、微分された（Ａ）通信信号（反転）つまり、（Ａ）の立ち上がりエッジのタイミングを示し、フリップフロップ１８のセット入力端子Ｓに入力される。フリップフロップ１８は、（Ａ）通信信号（反転）の立ち上がりエッジによってセットされ、つまり出力ＯＵＴがハイレベルになる。
【００８２】
（Ｃ）ＳＷ電流は、インダクタ素子３および第２スイッチ素子２ｂを流れる電流の大きさを示し、抵抗１２の電圧降下として検出され、増幅器１３のプラス入力端子に入力される。増幅器１３のマイナス入力端子には基準源１４が発生する基準値ＲＥＦが入力される。ＳＷ電流は、第２スイッチ素子２ｂがオンした時から三角波のように増加する。増幅器１３の出力信号は、ＳＷ電流が基準値ＲＥＦに達したときに反転する。増幅器１３の出力信号は、コンデンサ１５、抵抗１６およびダイオード１７を含む微分回路により微分される。
【００８３】
（Ｄ）ＲＥＳＥＴ信号は、増幅器１３の出力信号の微分信号、つまり、出力信号が反転したタイミングを示し、フリップフロップ１８のリセット入力端子に入力される。
【００８４】
（Ｅ）ＳＷ駆動信号は、フリップフロップ１８の出力ＯＵＴから、バッファ９ａおよび入力抵抗１０を介して第２スイッチ素子２ｂの制御端子（つまりゲート）に入力される。このＳＷ駆動信号は、（Ｂ）ＳＥＴ信号のタイミングから（Ｄ）ＲＥＳＥＴ信号のタイミングまでの期間ハイレベルになる、つまり、その期間、第２スイッチ素子２ｂをオンにする。ＳＷ駆動信号のハイレベル期間の長さは、（Ａ）通信信号（反転）のオン・デューティに関わらず、ほぼ一定になる。したがって、バイパス回路１００が電源供給回路として供給する制御電源の電圧は、オン・デューティの影響を低減し、オン・デューティが変化しても変化を受けにくくなる。
【００８５】
図１０は、図８の通信モジュールのシミュレーション結果であり、オン・デューティに対する制御電圧の関係を示す図である。同図は、図３Ｂと比べると、制御電圧の変化が小さくなっている。通信信号のオン・デューティが一定でない場合でも、制御電圧が変動しにくくなり、回路（例えば信号発生回路６等）の動作を安定にする、あるいは、誤動作を生じにくくする。
【００８６】
以上説明してきたように、実施の形態３における照明光通信装置において、第２スイッチ素子２ｂがオンである期間は、第１スイッチ素子２ａがオフである期間よりも短い一定の期間に制御される。
【００８７】
この構成によれば、通信信号のオン・デューティが変化する場合でも、信号発生回路６に供給する電源電圧の変動を低減し、より安定させることができる。
【００８８】
なお、図８において追加された回路は、図６に示した降圧チョッパー回路の通信モジュールに追加してもよい。
【００８９】
（実施の形態４）
実施の形態４では、実施の形態３に加えて、第１スイッチ素子２ａのオフ期間内に、第２スイッチ素子２ｂがオンおよびオフを複数回繰り返す通信モジュール１について説明する。これにより、インダクタ素子３のインダクタンスをより小さくすることが可能になる。
【００９０】
［４．１  照明光通信装置の構成］
本実施の形態における照明光通信装置は、通信モジュール１を除いて図１と同じである。以下異なる点を中心に説明する。
【００９１】
図１１は、実施の形態４における通信モジュール１の構成例を示す回路図である。同図の通信モジュール１は、図８と比べて、コンデンサ２０、ダイオード２１および抵抗２２を含む微分回路が削除された点と、発振器２３が追加された点と、バッファ９ａの代わりにアンド回路９ｂを備える点とが異なっている。以下、異なる点を中心に説明する。
【００９２】
発振器２３は、コンデンサ２０、ダイオード２１および抵抗２２を含む微分回路が削除された代わりに追加されている。発振器２３は、通信信号よりも高速な発振信号を生成する。例えば、通信信号が数ｋＨｚである場合、発振信号は数１０ｋＨｚとしてもよい。フリップフロップ１８のセット入力端子Ｓは、通信信号（反転）の微分信号ではなく、発振器２３からの発振信号が入力される。
【００９３】
アンド回路９ｂは、バッファ９ａの代わりに追加されている。アンド回路９ｂは、インバータ９からの通信信号（反転）と、フリップフロップ１８の出力信号とのアンド（論理積）をとる。アンド回路９ｂの出力信号は、入力抵抗１０を介して第２スイッチ素子２ｂに制御端子（つまりゲート）に入力される。
【００９４】
図１１の通信モジュール１について図１２を用いて説明する。図１２は、図１１における通信モジュールの通信信号に対する各部の波形を模式的に表した図である。（Ａ）〜（Ｅ）の各信号は、図９と同様であるが、（Ｂ）ＳＥＴ信号が発振器２３の発振信号である点と、（Ｅ）ＳＷ駆動信号がアンド回路９ｂの出力信号である点とが異なっている。以下、異なる点を中心に説明する。
【００９５】
（Ｂ）ＳＥＴ信号は、通信信号よりも高速である。フリップフロップ１８は、（Ｂ）、（Ｄ）、（Ｅ）に示すように、（Ａ）通信信号（非反転）のオフ期間において複数回、セットおよびリセットを繰り返す。例えば、（Ａ）通信信号（非反転）のオフ期間においてフリップフロップ１８はセットおよびリセットを１０回以上繰り返す。これにより、電磁エネルギーを蓄積および放出するインダクタ素子３は、蓄積および放出の１回あたりのエネルギー量が少なくてもよいので、より小さいインダクタンスでよい。例えば、実施の形態３では数１０ｍＨのインダクタンスをもつインダクタ素子３を用いているとすれば、実施の形態４では、数１０μＨのインダクタンスをもつインダクタ素子３を用いることができる。
【００９６】
以上説明してきたように、実施の形態４における照明光通信装置において、前記第２スイッチ素子２ｂは、さらに、前記第１スイッチ素子２ａがオフである期間内に、オンおよびオフを複数回繰り返す。
【００９７】
この構成によれば、第２スイッチ素子は、前記第１スイッチ素子がオフである期間内に、スイッチング動作を複数回繰り返すので、前記信号発生回路に供給する電源電圧の変動を低減し、より安定させることができる。また、より小さいインダクタンス値をもつインダクタ素子を利用可能にし、インダクタ素子３のコストおよびサイズを低減することができる。
【００９８】
なお、図１１において追加された回路は、図６に示した降圧チョッパー回路の通信モジュールに追加されてもよい。
【００９９】
（実施の形態５）
実施の形態１〜４では、第２スイッチ素子２ｂは、検出抵抗６６と直列に接続されている。これに対して、実施の形態５では、第２スイッチ素子２ｂは、検出抵抗６６を介することなく電源回路５２ａの接地線に接続される。実施の形態５では、実施の形態４に加えて、負荷回路５３の平均電流をより安定化するように構成されている。
【０１００】
［５．１  照明光通信装置の構成］
本実施の形態における照明光通信装置は、通信モジュール１を除いて図１と同じである。以下異なる点を中心に説明する。
【０１０１】
図１３は、実施の形態５における通信モジュール１を含む照明光通信装置の構成例を示す回路図である。同図は、図１１と比べると、バッファ７以外のバイパス回路１００の接地線が、端子Ｔ２に接続される代わりに平滑コンデンサ６５の接地線に接続される点と、レベルシフタ２４が追加された点とが異なっている。以下異なる点を中心に説明する。
【０１０２】
図１３では、第２スイッチ素子２ｂが接続される接地線だけでなく、バッファ７を除くバイパス回路１００および信号発生回路６の接地線も、端子Ｔ４を介して、電源回路５２ａの接地線（つまり平滑コンデンサ６５が接続された接地線）に接続される。この接続では、第２スイッチ素子２ｂは、検出抵抗６６を介することなく電源回路５２ａの接地線に接続される。検出抵抗６６は、第１スイッチ素子２ａと直列に接続され、負荷回路５３に流れる電流の大きさを検出するための抵抗である。図１３では、第２スイッチ素子２ｂを流れる電流は、検出抵抗６６を流れないので、定電流フィードバック回路６７に影響を与えない。
【０１０３】
レベルシフタ２４は、信号発生回路６とバッファ７間で信号レベルを合わせる回路である。
【０１０４】
［５．２  動作］
次に、通信モジュール１のシミュレーション結果を用いて、その動作を説明する。
【０１０５】
図１４Ａは、図１１および図１３の通信モジュールのシミュレーション結果であり、バイアス電流閾値に対するＬＥＤ電流変動幅の関係を示す図である。また、図１４Ｂは、図１１および図１３の通信モジュールのシミュレーション結果であり、バイパス電流閾値に対するＬＥＤ平均電流の関係を示す図である。
【０１０６】
横軸のバイパス電流閾値は、基準源１４の基準値に対応して流れる第２スイッチ素子２ｂの電流設定値を示す。例えば、バイパス電流閾値が０のときは、第２スイッチ素子２ｂに電流が流れない。バイパス電流閾値が３００（ｍＡ）のときは、第２スイッチ素子２ｂに３００（ｍＡ）まで電流が流れる。図１４Ａの縦軸のＬＥＤ電流変動幅は、ＬＥＤ電流のピーク値の大きさを示す。図１４Ｂの縦軸は、負荷回路５３を流れる電流の平均を示す。図１４Ａおよび図１４Ｂ中のＡの特性曲線は図１３に対応し、Ｂの特性曲線は図１１に対応する。
【０１０７】
図１４Ａに示すように、ＬＥＤ電流の変動幅、つまり、ＬＥＤ電流のピークの大きさは、実施の形態５における図１３よりも、実施の形態４における図１１の方が、やや小さく優れている。図１４Ｂに示すように、ＬＥＤ電流の平均値は、本実施の形態の図１３の方が、図１１よりもバイパス電流閾値に関わらず安定している。
【０１０８】
このように、本実施の形態における通信モジュール1では、負荷回路（つまり発光ダイオード）を流れる電流は検出抵抗を流れ、バイパス回路１００を流れる電流は検出抵抗６６を流れない。バイパス回路１００を流れる電流は、定電流フィードバック回路６７のフィードバック動作に影響を与えないので、ＬＥＤ電流の定電流化をより安定させると考えられる。また、信号発生回路６、第１スイッチ素子２ａおよびバイパス回路１００を含む回路部分を通信モジュール１として着脱可能にする場合、通信モジュール１と照明装置とは少ない端子数（少なくとも端子Ｔ１〜Ｔ４の４つ）で接続可能になる。
【０１０９】
これに対して、実施の形態４の図１１では、負荷回路５３（つまり発光ダイオード）を流れる電流だけでなくバイパス回路１００を流れる電流も検出抵抗６６を流れる。この場合、バイパス回路１００を流れる電流も、定電流フィードバック回路６７のフィードバック動作に影響を与え、ＬＥＤ電流の安定化には適していないと考えられる。また、信号発生回路６、第１スイッチ素子２ａおよび電流抑制回路１００を含む回路部分を通信モジュール１として着脱可能にする場合、通信モジュール１と照明装置とは少ない端子数（少なくとも端子Ｔ１〜Ｔ３３つ）で接続可能になる。
【０１１０】
以上説明してきたように、本実施の形態における照明光通信装置は、前記電源回路は、前記第１スイッチ素子と直列に接続され、前記負荷回路に流れる電流の大きさを検出するための検出抵抗６６と、前記抵抗素子により検出された電流の大きさと基準値との差分とをフィードバックすることにより、出力電流の平均を一定化する定電流フィードバック回路６７とを備える。
【０１１１】
ここで、前記第２スイッチ素子２ｂは、前記検出抵抗を介することなく前記電源回路に接続されてもよい。
【０１１２】
また、実施の形態４のように、前記第２スイッチ素子２ｂは、前記検出抵抗と直列に接続されてもよい。
【０１１３】
次に、図１に示した照明光通信装置の変形例について説明する。図１５は、実施の形態１における照明光通信装置の変形例を示す回路図である。同図は、図１と比べて、インダクタ素子３の代わりに抵抗素子３ａを備える点が異なる。以下、異なる点について説明する。バイパス回路１００は、負荷回路５３に電流が流れていないときに電源回路５２ａの電流を流す経路を有する。この経路は端子Ｔ３から抵抗素子３ａおよびスイッチ２（右側接点）から端子Ｔ２が直列接続された経路である。さらに、バイパス回路１００は、電源回路５２ａの電源電圧に基づいて通信モジュール１内の回路（例えば信号発生回路６）に電力を供給する電源供給回路としても機能する。すなわち、コンデンサ５は、スイッチ２の右側接点がオープンのときに抵抗素子３ａおよびダイオード４を介して充電され、スイッチ２の右側接点がクローズのときに電源として放電する。
【０１１４】
図１５の照明光通信装置によっても、図１と同様に、バイパス回路１００は、負荷回路５３に電流が流れないときに、電源回路５２ａの電流を流すので、負荷回路５３に電流が流れない期間における電源回路５２ａの出力電圧の上昇（例えば図１７参照）を抑える。出力電圧の上昇を抑えるので、スイッチ２の左側接点がオフからオンに変化したときに発生する電流のオーバーシュートを低減することができる。これにより、定電流フィードバック型の電源を用いて１００％変調の光通信をする場合でも、受信装置の受信エラーを生じさせにくいという効果がある。
【０１１５】
以上、本発明に係る照明光通信装置および通信モジュールについて、実施の形態に基づいて説明したが、本発明は、実施の形態に限定されるものではない。本発明の主旨を逸脱しない限り、当業者が思いつく各種変形を本実施の形態に施したものや、実施の形態および変形例における一部の構成要素を任意に組み合わせて構築される別の形態も、本発明の範囲内に含まれる。
【符号の説明】
【０１１６】
１  通信モジュール
２ａ  第１スイッチ素子
２ｂ  第２スイッチ素子
３  インダクタ素子
３ａ  抵抗素子
６  信号発生回路
５３  負荷回路
６６  検出抵抗
６７  定電流フィードバック回路
１００  バイパス回路
【図１】
2017142981.tif 000003
【図２】
2017142981.tif 000004
【図３Ａ】
2017142981.tif 000005
【図３Ｂ】
2017142981.tif 000006
【図４Ａ】
2017142981.tif 000007
【図４Ｂ】
2017142981.tif 000008
【図５】
2017142981.tif 000009
【図６】
2017142981.tif 000010
【図７】
2017142981.tif 000011
【図８】
2017142981.tif 000012
【図９】
2017142981.tif 000013
【図１０】
2017142981.tif 000014
【図１１】
2017142981.tif 000015
【図１２】
2017142981.tif 000016
【図１３】
2017142981.tif 000017
【図１４Ａ】
2017142981.tif 000018
【図１４Ｂ】
2017142981.tif 000019
【図１５】
2017142981.tif 000020
【図１６Ａ】
2017142981.tif 000021
【図１６Ｂ】
2017142981.tif 000022
【図１６Ｃ】
2017142981.tif 000023
【図１７】
2017142981.tif 000024